(57)【要約】【課題】検出した放射線画像情報を速やかに表示して確認できるとともに、表示装置や画像処理装置の配置の自由度を確保し、作業に支障を来すことのない放射線画像撮影システムを提供することを目的とする。【解決手段】放射線検出カセッテ２４の放射線検出器４０によって検出された放射線画像情報は、画像圧縮処理部８８によって圧縮処理された後、無線通信によって表示装置２６に送信され、放射線画像の概要が圧縮画像として表示部９４に表示される。一方、画像メモリ８２に記憶された放射線画像情報は、無線通信によってコンソール２８に送信され、画像処理部１００で所望の画像処理が施された後、無線通信によって表示装置２６に送信され、圧縮画像に代えて詳細な画像として表示部９４に表示される。【選択図】図４
2009045430.tif 000002
【特許請求の範囲】
【請求項１】
被写体を透過した放射線を検出し、放射線画像情報に変換する放射線変換パネルと、前記放射線画像情報の情報量を削減する情報量削減手段と、前記放射線画像情報を無線通信によって外部に送信する送信手段と、前記放射線変換パネル、前記情報量削減手段及び前記送信手段を駆動する電力を供給するバッテリとを有するカセッテと、
前記カセッテから送信される情報量が削減されていない前記放射線画像情報を受信する受信手段と、前記放射線画像情報に対して画像処理を施す画像処理手段と、画像処理された前記放射線画像情報を外部に送信する送信手段とを有する画像処理装置と、
前記カセッテから送信される情報量が削減された前記放射線画像情報、及び、前記画像処理装置から送信される画像処理された前記放射線画像情報を受信する受信手段と、情報量が削減された前記放射線画像情報及び画像処理された前記放射線画像情報を表示する表示手段とを有する表示装置と、
を備えることを特徴とする放射線画像撮影システム。
【請求項２】
請求項１記載のシステムにおいて、
前記情報量削減手段は、前記放射線画像情報を圧縮処理することで情報量の削減を行うことを特徴とする放射線画像撮影システム。
【請求項３】
請求項１記載のシステムにおいて、
前記画像処理装置の前記送信手段は、前記放射線画像情報を無線通信によって前記表示装置に送信することを特徴とする放射線画像撮影システム。
【請求項４】
請求項１記載のシステムにおいて、
前記カセッテ及び前記表示装置は、手術室に配置されることを特徴とする放射線画像撮影システム。
【請求項５】
請求項１記載のシステムにおいて、
前記カセッテ、前記画像処理装置及び前記表示装置間での通信は、中継局を介した無線ＬＡＮによって行われることを特徴とする放射線画像撮影システム。
【請求項６】
請求項１記載のシステムにおいて、
前記被写体に放射線を照射することで、前記放射線変換パネルに前記放射線画像情報を記録する撮影装置を備え、前記画像処理装置の前記送信手段は、撮影条件を無線通信によって前記撮影装置に送信することを特徴とする放射線画像撮影システム。
【請求項７】
請求項１記載のシステムにおいて、
前記放射線変換パネルは、前記放射線を電気信号に変換する固体検出素子から構成されることを特徴とする放射線画像撮影システム。
【発明の詳細な説明】
【技術分野】
【０００１】
本発明は、被写体を透過した放射線を検出し、放射線画像情報に変換して表示する表示装置を備えた放射線画像撮影システムに関する。
【背景技術】
【０００２】
医療分野において、被写体に放射線を照射し、被写体を透過した放射線を放射線変換パネルに導いて放射線画像を撮影する放射線画像撮影装置が広汎に使用されている。この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００３】
一方、手術室等の医療現場においては、患者に対して迅速且つ的確な処置を施すため、放射線変換パネルから直ちに放射線画像を読み出して表示できることが要求される。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
このような放射線検出器を用いた放射線画像撮影システムとして、特許文献１〜４に開示されたものがある。
【０００５】
特許文献１では、放射線検出器によって検出した放射線画像情報を無線通信によって処理装置に送信し、処理装置において画像処理等の信号処理を行うようにしている。
【０００６】
特許文献２では、放射線検出器によって検出した放射線画像情報を処理装置に対して無線通信により送信した後、処理装置から放射線画像情報を表示装置に無線通信で送信して表示させるようにしている。
【０００７】
特許文献３では、放射線検出器によって検出した放射線画像情報のデータサイズを縮小して確認用画像データを生成し、この確認用画像データを無線通信によって表示装置に送信して表示することで確認し、その後、放射線検出器を処理装置に接続し、縮小前の放射線画像情報を読み出して信号処理するようにしている。
【０００８】
特許文献４では、放射線検出器によって検出した放射線画像情報を圧縮し、無線通信により処理装置を介し表示装置に送信してプレビュー画像を表示させ、撮影結果の概略を確認した後、圧縮されていない放射線画像情報を有線通信により処理装置に送信して信号処理を行うようにしている。
【０００９】
【特許文献１】特許第３４９４６８３号公報
【特許文献２】特開２００７―６１３８６号公報
【特許文献３】特開２００５−２９６０５０号公報
【特許文献４】特開２００２−２４８０９５号公報
【発明の開示】
【発明が解決しようとする課題】
【００１０】
特許文献１及び２の場合、放射線検出器から処理装置に対し無線通信によって放射線画像情報を送信しているが、放射線画像情報を表示するために処理装置を経由させるため、放射線画像情報の情報量が多いと、所望の画像が表示されるまでに長時間を要してしまう。この場合、例えば、手術中において必要な放射線画像情報を迅速に取得したいという要求に応じることが困難となる。
【００１１】
特許文献３の場合、放射線検出器から縮小した確認用画像データを無線通信によって表示装置に送信しているため、検出した放射線画像情報を迅速に確認することができる。しかしながら、縮小されていない放射線画像情報は、放射線検出器を処理装置に接続した後、送信されることになるため、所望の精度を有する放射線画像情報を取得して表示するまでには、やはり長時間を要してしまう。
【００１２】
特許文献４の場合、放射線画像情報のプレビュー画像を迅速に表示することができる。しかしながら、放射線検出器と処理装置とは、圧縮されていない放射線画像情報を送信するための信号ケーブルによって接続されているため、例えば、処理装置を手術室に配置した場合、この信号ケーブルが手術等の作業の邪魔になってしまうおそれがある。
【００１３】
本発明は、前記の課題に鑑みなされたものであり、検出した放射線画像情報を速やかに表示して確認できるとともに、表示装置や画像処理装置の配置の自由度を確保し、作業に支障を来すことのない放射線画像撮影システムを提供することを目的とする。
【課題を解決するための手段】
【００１４】
本発明の放射線画像撮影システムは、被写体を透過した放射線を検出し、放射線画像情報に変換する放射線変換パネルと、前記放射線画像情報の情報量を削減する情報量削減手段と、前記放射線画像情報を無線通信によって外部に送信する送信手段と、前記放射線変換パネル、前記情報量削減手段及び前記送信手段を駆動する電力を供給するバッテリとを有するカセッテと、
前記カセッテから送信される情報量が削減されていない前記放射線画像情報を受信する受信手段と、前記放射線画像情報に対して画像処理を施す画像処理手段と、画像処理された前記放射線画像情報を外部に送信する送信手段とを有する画像処理装置と、
前記カセッテから送信される情報量が削減された前記放射線画像情報、及び、前記画像処理装置から送信される画像処理された前記放射線画像情報を受信する受信手段と、情報量が削減された前記放射線画像情報及び画像処理された前記放射線画像情報を表示する表示手段とを有する表示装置と、
を備えることを特徴とする。
【発明の効果】
【００１５】
本発明によれば、放射線画像情報の情報量を削減した後、カセッテから無線通信によって直接表示装置に送信して表示することにより、撮影された放射線画像情報の概要を速やかに確認することができる。一方、情報量が削減されていない放射線画像情報は、無線通信によってカセッテから画像処理装置に送信し、所望の画像処理を施した後、精細画像として表示装置に表示させることができる。この場合、カセッテと表示装置との間、及び、カセッテと画像処理装置との間では、無線通信によって信号の送受信が行われるため、例えば、手術室等における作業に対して信号ケーブルが邪魔になることがなく、良好な作業環境を確保することができる。なお、表示装置に対する放射線画像情報の送信処理と、画像処理装置に対する放射線画像情報の送信処理とを同時並行的に行うことにより、精細画像を表示するまでに要する時間を短縮することができる。
【発明を実施するための最良の形態】
【００１６】
図１は、本実施形態に係る放射線画像撮影システム１０が設置された手術室１２の説明図である。手術室１２には、放射線画像撮影システム１０に加えて、患者１４が横臥する手術台１６が配置されるとともに、医師１８が手術に使用する各種器具が載置される器具台２０が手術台１６の側部に配置される。また、手術台１６の周りには、麻酔器、吸引器、心電計、血圧計等、手術に必要な様々な機器が配置される。
【００１７】
放射線画像撮影システム１０は、撮影条件に従った線量からなる放射線Ｘを患者１４に照射するための撮影装置２２と、患者１４を透過した放射線Ｘを検出する放射線検出器（後述）を内蔵した放射線検出カセッテ２４と、放射線検出器によって検出された放射線Ｘに基づく放射線画像を表示する表示装置２６と、撮影装置２２、放射線検出カセッテ２４及び表示装置２６を制御するコンソール２８とを備える。撮影装置２２、放射線検出カセッテ２４、表示装置２６及びコンソール２８間では、無線通信による信号の送受信が行われる。
【００１８】
撮影装置２２は、自在アーム３０に連結され、患者１４の撮影部位に応じた所望の位置に移動可能であるとともに、医師１８による手術の邪魔とならない位置に待避可能である。同様に、表示装置２６は、自在アーム３２に連結され、撮影された放射線画像を医師１８が容易に確認できる位置に移動可能である。
【００１９】
図２は、放射線検出カセッテ２４の内部構成図である。放射線検出カセッテ２４は、放射線Ｘを透過させる材料からなるケーシング３４を備える。ケーシング３４の内部には、放射線Ｘが照射されるケーシング３４の照射面３６側から、患者１４による放射線Ｘの散乱線を除去するグリッド３８、患者１４を透過した放射線Ｘを検出する放射線検出器４０（放射線変換パネル）、及び、放射線Ｘのバック散乱線を吸収する鉛板４２が順に配設される。なお、ケーシング３４の照射面３６をグリッド３８として構成してもよい。
【００２０】
また、ケーシング３４の内部には、放射線検出カセッテ２４の電源であるバッテリ４４と、バッテリ４４から供給される電力により放射線検出器４０を駆動制御するカセッテ制御部４６と、放射線検出器４０によって検出した放射線Ｘの情報を含む信号を表示装置２６及びコンソール２８との間で送受信する送受信機４８とが収容される。なお、カセッテ制御部４６及び送受信機４８には、放射線Ｘが照射されることによる損傷を回避するため、ケーシング３４の照射面３６側に鉛板等を配設しておくことが好ましい。
【００２１】
図３は、放射線検出器４０の回路構成ブロック図である。放射線検出器４０は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量５３に蓄積した後、各行毎にＴＦＴ５２を順次オンにして、電荷を画像信号として読み出す。図３では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。従って、放射線検出カセッテ２４内に放射線検出器４０を冷却する手段を配設することが好ましい。
【００２２】
各画素５０に接続されるＴＦＴ５２には、行方向と平行に延びるゲート線５４と、列方向と平行に延びる信号線５６とが接続される。各ゲート線５４は、ライン走査駆動部５８に接続され、各信号線５６は、読取回路を構成するマルチプレクサ６６に接続される。
【００２３】
ゲート線５４には、行方向に配列されたＴＦＴ５２をオンオフ制御する制御信号Ｖｏｎ、Ｖｏｆｆがライン走査駆動部５８から供給される。この場合、ライン走査駆動部５８は、ゲート線５４を切り替える複数のスイッチＳＷ１と、スイッチＳＷ１の１つを選択する選択信号を出力するアドレスデコーダ６０とを備える。アドレスデコーダ６０には、カセッテ制御部４６からアドレス信号が供給される。
【００２４】
また、信号線５６には、列方向に配列されたＴＦＴ５２を介して各画素５０の蓄積容量５３に保持されている電荷が流出する。この電荷は、増幅器６２によって増幅される。増幅器６２には、サンプルホールド回路６４を介してマルチプレクサ６６が接続される。マルチプレクサ６６は、信号線５６を切り替える複数のスイッチＳＷ２と、スイッチＳＷ２の１つを選択する選択信号を出力するアドレスデコーダ６８とを備える。アドレスデコーダ６８には、カセッテ制御部４６からアドレス信号が供給される。マルチプレクサ６６には、Ａ／Ｄ変換器７０が接続され、Ａ／Ｄ変換器７０によってデジタル信号に変換された放射線画像情報がカセッテ制御部４６に供給される。
【００２５】
図４は、撮影装置２２、放射線検出カセッテ２４、表示装置２６及びコンソール２８からなる放射線画像撮影システム１０の構成ブロック図である。なお、コンソール２８には、病院内の放射線科において取り扱われる放射線画像情報やその他の情報を統括的に管理する放射線科情報システム（ＲＩＳ）２９が接続され、また、ＲＩＳ２９には、病院内の医事情報を統括的に管理する医事情報システム（ＨＩＳ）３１が接続される。
【００２６】
撮影装置２２は、撮影スイッチ７２と、放射線Ｘを出力する放射線源７４と、コンソール２８から無線通信により撮影条件を受信する一方、コンソール２８に対して無線通信による撮影完了信号等を送信する送受信機７６と、撮影スイッチ７２から供給される撮影開始信号及び送受信機７６から供給される撮影条件に基づいて放射線源７４を制御する線源制御部７８とを備える。
【００２７】
放射線検出カセッテ２４には、放射線検出器４０、バッテリ４４、カセッテ制御部４６及び送受信機４８（送信手段）が収容される。カセッテ制御部４６は、放射線検出器４０を構成するライン走査駆動部５８のアドレスデコーダ６０及びマルチプレクサ６６のアドレスデコーダ６８に対してアドレス信号を供給するアドレス信号発生部８０と、放射線検出器４０によって検出された放射線画像情報を記憶する画像メモリ８２と、当該放射線検出カセッテ２４を特定するためのカセッテＩＤ情報を記憶するカセッテＩＤメモリ８４と、画像メモリ８２に記憶された放射線画像情報に対して圧縮処理を施すことで情報量を削減する画像圧縮処理部８８（情報量削減手段）とを備える。送受信機４８は、コンソール２８から無線通信により送信要求信号を受信する一方、コンソール２８に対して、カセッテＩＤメモリ８４に記憶されたカセッテＩＤ情報、画像メモリ８２に記憶された放射線画像情報を無線通信により送信する。また、送受信機４８は、表示装置２６に対して画像圧縮処理部８８で圧縮された放射線画像情報を無線通信により送信する。
【００２８】
表示装置２６は、放射線検出カセッテ２４から圧縮された放射線画像情報を受信するとともに、コンソール２８から圧縮されていない放射線画像情報を受信する受信機９０（受信手段）と、受信した放射線画像情報の表示制御を行う表示制御部９２と、表示制御部９２によって処理された放射線画像情報を表示する表示部９４（表示手段）とを備える。
【００２９】
コンソール２８は、撮影装置２２、放射線検出カセッテ２４及び表示装置２６に対して、放射線画像情報を含む必要な情報を無線通信により送受信する送受信機９６（受信手段）と、撮影装置２２による撮影に必要な撮影条件を管理する撮影条件管理部９８と、放射線検出カセッテ２４から送信された放射線画像情報に対する画像処理を行う画像処理部１００（画像処理手段）と、処理した放射線画像情報を記憶する画像メモリ１０１と、撮影対象である患者１４の患者情報を管理する患者情報管理部１０２と、放射線検出カセッテ２４から送信されたカセッテ情報を管理するカセッテ情報管理部１０４とを備える。コンソール２８は、撮影装置２２、放射線検出カセッテ２４及び表示装置２６に対して無線通信による信号の送受信を行うことができるのであれば、手術室１２の外に設置してもよい。
【００３０】
なお、撮影条件とは、患者１４の撮影部位に対して、適切な線量からなる放射線Ｘを照射するための管電圧、管電流、照射時間等を決定するための条件であり、例えば、撮影部位、撮影方法等の条件を挙げることができる。患者情報とは、患者１４の氏名、性別、患者ＩＤ番号等、患者１４を特定するための情報である。これらの撮影条件及び患者情報を含む撮影のオーダリング情報は、コンソール２８で直接設定し、あるいは、ＲＩＳ２９を介してコンソール２８に外部から供給することができる。また、カセッテ情報とは、放射線検出カセッテ２４を特定するためのカセッテＩＤ情報である。
【００３１】
本実施形態の放射線画像撮影システム１０は、基本的には以上のように構成されるものであり、次にその動作について説明する。
【００３２】
放射線画像撮影システム１０は、手術室１２に設置されており、例えば、医師１８による患者１４の手術中において、放射線画像の撮影が必要となった際に使用される。そのため、撮影対象である患者１４の患者情報は、撮影に先立ち、コンソール２８の患者情報管理部１０２に予め登録しておく。また、撮影部位や撮影方法が予め決まっている場合には、これらの撮影条件を撮影条件管理部９８に予め登録しておく。以上の準備作業が終了した状態において、患者１４に対する手術が実施される。
【００３３】
手術中において放射線画像の撮影を行う場合、医師１８又は担当する放射線技師は、患者１４と手術台１６との間の所定位置に、照射面３６を撮影装置２２側とした状態で放射線検出カセッテ２４を設置する。次いで、撮影装置２２を放射線検出カセッテ２４に対向する位置に移動させた後、撮影スイッチ７２を操作して撮影を行う。
【００３４】
撮影装置２２の線源制御部７８は、送受信機９６、７６を介して、コンソール２８の撮影条件管理部９８より当該患者１４の撮影部位に係る撮影条件を無線通信により取得し、取得した撮影条件に従って放射線源７４を制御することにより、所定の線量からなる放射線Ｘを患者１４に照射する。
【００３５】
患者１４を透過した放射線Ｘは、放射線検出カセッテ２４のグリッド３８によって散乱線が除去された後、放射線検出器４０に照射され、放射線検出器４０を構成する各画素５０の光電変換層５１によって電気信号に変換され、蓄積容量５３に電荷として保持される（図３参照）。次いで、各蓄積容量５３に保持された患者１４の放射線画像情報である電荷情報は、カセッテ制御部４６を構成するアドレス信号発生部８０からライン走査駆動部５８及びマルチプレクサ６６に供給されるアドレス信号に従って読み出される。
【００３６】
すなわち、ライン走査駆動部５８のアドレスデコーダ６０は、アドレス信号発生部８０から供給されるアドレス信号に従って選択信号を出力してスイッチＳＷ１の１つを選択し、対応するゲート線５４に接続されたＴＦＴ５２のゲートに制御信号Ｖｏｎを供給する。一方、マルチプレクサ６６のアドレスデコーダ６８は、アドレス信号発生部８０から供給されるアドレス信号に従って選択信号を出力してスイッチＳＷ２を順次切り替え、ライン走査駆動部５８によって選択されたゲート線５４に接続された各画素５０の蓄積容量５３に保持された電荷情報である放射線画像情報を信号線５６を介して順次読み出す。
【００３７】
放射線検出器４０の選択されたゲート線５４に接続された各画素５０の蓄積容量５３から読み出された放射線画像情報は、各増幅器６２によって増幅された後、各サンプルホールド回路６４によってサンプリングされ、マルチプレクサ６６を介してＡ／Ｄ変換器７０に供給され、デジタル信号に変換される。デジタル信号に変換された放射線画像情報は、カセッテ制御部４６の画像メモリ８２に一旦記憶される。
【００３８】
同様にして、ライン走査駆動部５８のアドレスデコーダ６０は、アドレス信号発生部８０から供給されるアドレス信号に従ってスイッチＳＷ１を順次切り替え、各ゲート線５４に接続されている各画素５０の蓄積容量５３に保持された電荷情報である放射線画像情報を信号線５６を介して読み出し、マルチプレクサ６６及びＡ／Ｄ変換器７０を介してカセッテ制御部４６の画像メモリ８２に記憶させる。
【００３９】
画像メモリ８２に記憶された放射線画像情報は、画像圧縮処理部８８によって圧縮処理が施されることで情報量が削減された後、送受信機４８を介して無線通信により表示装置２６に送信される。なお、圧縮処理としては、例えば、データの間引き処理、ビット圧縮処理、ランレングス法による圧縮処理等、不可逆圧縮を含む種々の圧縮処理を適用することができる。
【００４０】
表示装置２６に送信された放射線画像情報は、受信機９０によって受信され、表示制御部９２によって圧縮画像として表示部９４に表示される。
【００４１】
この場合、放射線画像情報は、圧縮されることで情報量が削減されているため、速やかに表示される。医師は、表示部９４に表示された粗い状態の圧縮画像に基づき、撮影装置２２による撮影範囲、患者１４の手術部位の状態等の概要を事前に確認し、必要に応じた対応、例えば、放射線画像情報の再撮影や、手術部位に対する適切な処理の準備等を行うことができる。
【００４２】
一方、放射線検出カセッテ２４は、圧縮された放射線画像情報を表示装置２６に送信する処理と並行して、圧縮されていない放射線画像情報を画像メモリ８２から読み出し、送受信機４８を介して無線通信によりコンソール２８に送信する。
【００４３】
コンソール２８に送信された放射線画像情報は、送受信機９６によって受信され、画像処理部１００において所定の画像処理が施された後、患者情報管理部１０２に登録されている患者１４の患者情報と関連付けられた状態で画像メモリ１０１に記憶される。
【００４４】
次いで、画像処理の施された放射線画像情報は、送受信機９６から表示装置２６に送信される。受信機９０によって放射線画像情報を受信した表示装置２６は、表示制御部９２によって表示部９４を制御し、既に表示されている粗い状態の圧縮画像に代えて、詳細な放射線画像を表示部９４に表示する。この場合、医師１８は、先行して表示されている圧縮画像に基づいて適切な対応の準備を行っているため、表示部９４に表示された詳細な放射線画像を確認しながら効率的な処置を実施することができる。
【００４５】
また、本実施形態の放射線画像撮影システム１０は、放射線検出カセッテ２４とコンソール２８との間、撮影装置２２とコンソール２８との間、及び、コンソール２８と表示装置２６との間が、信号を送受信するためのケーブルによって連結されていないため、例えば、手術室１２の床面にこれらのケーブルが配設されることがなく、医師１８等の作業に支障を来すおそれがない作業環境を提供することができる。
【００４６】
図５は、本実施形態の放射線画像撮影システム１０の撮影装置２２、放射線検出カセッテ２４、表示装置２６及びコンソール２８を、無線ＬＡＮを構成する中継局１０６を介して接続する場合を示す。放射線画像撮影システム１０をこのように構成することにより、撮影装置２２、放射線検出カセッテ２４、表示装置２６及びコンソール２８の相互間において、より広汎な情報の送受信を行うことができる。
【００４７】
なお、本発明は、上述した実施形態に限定されるものではなく、本発明の主旨を逸脱しない範囲で自由に変更できることは勿論である。
【００４８】
例えば、放射線検出カセッテ２４に収容される放射線検出器４０は、入射した放射線Ｘの線量を光電変換層５１によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線検出器を用いてもよい（特許第３４９４６８３号公報参照）。
【００４９】
また、光変換方式の放射線検出器を利用して放射線画像情報を取得することもできる。この光変換方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【００５０】
放射線検出カセッテ２４は、手術室１２等で使用されるとき、血液やその他の雑菌が付着するおそれがある。そこで、放射線検出カセッテ２４を防水性、密閉性を有する構造とし、必要に応じて殺菌洗浄することにより、１つの放射線検出カセッテ２４を繰り返し続けて使用することができる。
【００５１】
放射線検出カセッテ２４は、手術室１２で使用される場合に限られるものではなく、例えば、検診や病院内での回診にも適用することができる。
【００５２】
また、放射線検出カセッテ２４と外部機器との間での無線通信は、通常の電波による通信に代えて、赤外線等を用いた光無線通信で行うようにしてもよい。
【００５３】
図６に示すように放射線検出カセッテ５００を構成すると、一層好適である。
【００５４】
すなわち、放射線検出カセッテ５００には、ケーシング５０２の放射線照射面側に、撮影領域及び撮影位置の基準となるガイド線５０４が形成される。このガイド線５０４を用いて、放射線検出カセッテ５００に対する被写体の位置決めを行い、また、放射線の照射範囲を設定することにより、放射線画像情報を適切な撮影領域に記録することができる。
【００５５】
放射線検出カセッテ５００の撮影領域外の部位には、当該放射線検出カセッテ５００に係る各種情報を表示する表示部５０６を配設する。この表示部５０６には、放射線検出カセッテ５００に記録される被写体のＩＤ情報、放射線検出カセッテ５００の使用回数、累積曝射線量、放射線検出カセッテ５００に内蔵されているバッテリ４４の充電状態（残容量）、放射線画像情報の撮影条件、被写体の放射線検出カセッテ５００に対するポジショニング画像等を表示させる。この場合、技師は、例えば、表示部５０６に表示されたＩＤ情報に従って被写体を確認するとともに、当該放射線検出カセッテ５００が使用可能な状態にあることを事前に確認し、表示されたポジショニング画像に基づいて被写体の所望の撮影部位を放射線検出カセッテ５００に位置決めして、最適な放射線画像情報の撮影を行うことができる。
【００５６】
また、放射線検出カセッテ５００に取手部５０８を形成することにより、当該放射線検出カセッテ５００の取り扱い、持ち運びが容易になる。
【００５７】
放射線検出カセッテ５００の側部には、ＡＣアダプタの入力端子５１０と、ＵＳＢ（Universal Serial Bus）端子５１２と、メモリカード５１４を装填するためのカードスロット５１６とを配設すると好適である。
【００５８】
入力端子５１０は、放射線検出カセッテ５００に内蔵されているバッテリ４４の充電機能が低下しているとき、あるいは、バッテリ４４を充電するのに十分な時間を確保できないとき、ＡＣアダプタを接続して外部から電力を供給することにより、当該放射線検出カセッテ５００を直ちに使用可能な状態とすることができる。
【００５９】
ＵＳＢ端子５１２又はカードスロット５１６は、放射線検出カセッテ５００がコンソール２８等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【００６０】
手術室１２や病院内の必要な個所には、図７に示すように、放射線検出カセッテ２４が装填され、内蔵されるバッテリ４４の充電を行うクレードル５１８を配置すると好適である。この場合、クレードル５１８は、バッテリ４４の充電だけでなく、クレードル５１８の無線通信機能又は有線通信機能を用いて、ＨＩＳ３１、ＲＩＳ２９、コンソール２８等の外部機器との間で必要な情報の送受信を行うようにしてもよい。送受信する情報には、クレードル５１８に装填された放射線検出カセッテ２４に記録された放射線画像情報を含めることができる。
【００６１】
また、クレードル５１８に表示部５２０を配設し、この表示部５２０に対して、装填された当該放射線検出カセッテ２４の充電状態や、放射線検出カセッテ２４から取得した放射線画像情報を含む必要な情報を表示させるようにしてもよい。
【００６２】
また、複数のクレードル５１８をネットワークに接続し、各クレードル５１８に装填されている放射線検出カセッテ２４の充電状態をネットワークを介して収集し、使用可能な充電状態にある放射線検出カセッテ２４の所在を確認できるように構成することもできる。
【図面の簡単な説明】
【００６３】
【図１】本実施形態の放射線画像撮影システムが設置された手術室の説明図である。
【図２】放射線検出カセッテの内部構成図である。
【図３】放射線検出器の回路構成ブロック図である。
【図４】放射線画像撮影システムの構成ブロック図である。
【図５】他の実施形態に係る放射線画像撮影システムのブロック図である。
【図６】放射線検出カセッテの他の構成図である。
【図７】放射線検出カセッテの充電を行うクレードルの構成図である。
【符号の説明】
【００６４】
１０…放射線画像撮影システム
１２…手術室
１４…患者
１６…手術台
２２…撮影装置
２４…放射線検出カセッテ
２６…表示装置
２８…コンソール
２９…ＲＩＳ
３１…ＨＩＳ
４０…放射線検出器
４４…バッテリ
４６…カセッテ制御部
４８、７６、９６…送受信機
５０…画素
７４…放射線源
８２、１０１…画像メモリ
８４…カセッテＩＤメモリ
８８…画像圧縮処理部
９０…受信機
９４…表示部
９８…撮影条件管理部
１００…画像処理部
１０２…患者情報管理部
１０４…カセッテ情報管理部
１０６…中継局
【図１】
2009045430.tif 000003
【図２】
2009045430.tif 000004
【図３】
2009045430.tif 000005
【図４】
2009045430.tif 000006
【図５】
2009045430.tif 000007
【図６】
2009045430.tif 000008
【図７】
2009045430.tif 000009